(57)【要約】【課題】衣服の衿部などの首回りにスカーフを着脱させるにあたり、スカーフの保形性を長時間に亘って維持することができるスカーフ留め構造を提供する。【解決手段】衿部を有する衣類の首回りにスカーフなどの装飾品を留めるためのループを備えたスカーフ留め構造であって、台衿３の上縁から下縁にかけてループ１０が複数形成され、台衿３の表側上縁に沿ってループの上端１１が固定され、台衿３の裏側下縁に沿ってループの下端１２が固定されていることを特徴とする。【選択図】図１
2017222938.tif 000002
【特許請求の範囲】
【請求項１】
衿部を有する衣類の首回りにスカーフなどの装飾品を留めるためのループを備えたスカーフ留め構造であって、
台衿の上縁から下縁にかけてループが複数形成されており、
台衿の表側上縁に沿ってループの一端が固定され、
台衿の裏側下縁に沿ってループの他端が固定されている
ことを特徴とするスカーフ留め構造。
【請求項２】
衿部を有する衣類の首回りにスカーフなどの装飾品を留めるためのループを備えたスカーフ留め構造であって、
台衿の上縁から下縁にかけてループが複数形成されており、
台衿の下縁にループを構成する薄片を挿通可能なスリットが設けられ、
台衿の表側上縁に沿ってループの一端が固定され、
ループの他端が当該スリットに通されてから台衿の裏側上縁に沿って固定されている
ことを特徴とするスカーフ留め構造。
【請求項３】
衣類の首回り又は胸元にスカーフなどの装飾品を留めるためのループを備えたスカーフ留め構造であって、
衣類の首回り又は胸元にループが複数形成されており、
衣類の首回り又は胸元を構成する身生地の縁に沿ってループの一端が固定され、
ループの他端は固定されていない
ことを特徴とするスカーフ留め構造。
【請求項４】
前記複数のループがそれぞれ中間で交差してクロスループを形成している
ことを特徴とする請求項１又は２記載のスカーフ留め構造。
【請求項５】
前記複数のループの他端を重ねてＶ字状ループを形成している
ことを特徴とする請求項１記載のスカーフ留め構造。
【請求項６】
前記複数のループは、径の大きさが異なるループを含む
ことを特徴とする請求項１〜５のいずれか１項に記載のスカーフ留め構造。
【請求項７】
前記複数のループは、同じ径のループ同士を繋ぎ合わせて構成されているループを含む
ことを特徴とする請求項１〜６のいずれか１項に記載のスカーフ留め構造。
【請求項８】
小さな径の小ループが大きな径の大ループに重ねられている
ことを特徴とする請求項６又は７記載のスカーフ留め構造。
【請求項９】
小ループより径が大きく大ループより径が小さい中ループを備え、
中ループも大ループに重ねられており、
小ループが大ループの下端側に重ねられている
ことを特徴とする請求項８記載のスカーフ留め構造。
【請求項１０】
少なくともいずれか１つのループが捻りを加えられたツイストループである
ことを特徴とする請求項１〜９のいずれか１項に記載のスカーフ留め構造。
【請求項１１】
少なくともいずれか１つのループが折り畳まれて形成されるフォルディングループである
ことを特徴とする請求項１〜９のいずれか１項に記載のスカーフ留め構造。
【発明の詳細な説明】
【技術分野】
【０００１】
本発明は、スカーフを衣服の衿部などの首回りや胸元に着脱させる構造に関する。
【背景技術】
【０００２】
首回りを華やかに見せるために首や衣服の衿部にスカーフを巻き付けて着用することがある。スカーフの着用にあたっては、スカーフを首に巻き付けて長さや形を整える手間がかかることから、衿部の裏側などにスカーフ等の装飾を挿通して保持するためのループ部を取り付けた衣服が提案されている（例えば、特許文献１参照。）。
【先行技術文献】
【特許文献】
【０００３】
【特許文献１】実用新案登録第３１８６０９２号公報
【発明の概要】
【発明が解決しようとする課題】
【０００４】
上記特許文献１の衣服は、スカーフの着脱を容易ならしめるうえで画期的なものである。しかしながら、取り付けられたスカーフの形状やスカーフの柔らかな膨らみを保持することが難しいという問題がある。また、ある程度はスカーフのずり下がりを抑止できるものの、長時間に亘って安定性を維持することは難しいという問題もある。
【０００５】
そこで、本発明は、このような問題に鑑みなされたものであり、衣服の衿部などの首回りにスカーフを着脱させるにあたり、スカーフの保形性を長時間に亘って維持することができるスカーフ留め構造を提供することを目的とする。
【課題を解決するための手段】
【０００６】
上記課題を解決するために、本発明に係るスカーフ留め構造は、衿部を有する衣類の首回りにスカーフなどの装飾品を留めるためのループを備えたスカーフ留め構造であって、台衿の上縁から下縁にかけてループが複数形成されており、台衿の表側上縁に沿ってループの一端が固定され、台衿の裏側下縁に沿ってループの他端が固定されていることを特徴とする。
【０００７】
これによれば、スカーフの保形性を長時間に亘って維持することができるスカーフ留め構造が実現される。
【０００８】
また、衿部を有する衣類の首回りにスカーフなどの装飾品を留めるためのループを備えたスカーフ留め構造であって、台衿の上縁から下縁にかけてループが複数形成されており、台衿の下縁にループを構成する薄片を挿通可能なスリットが設けられ、台衿の表側上縁に沿ってループの一端が固定され、ループの他端が当該スリットに通されてから台衿の裏側上縁に沿って固定されていることを特徴とするスカーフ留め構造として構成することもできる。
【０００９】
さらに、衣類の首回り又は胸元にスカーフなどの装飾品を留めるためのループを備えたスカーフ留め構造であって、衣類の首回り又は胸元にループが複数形成されており、衣類の首回り又は胸元を構成する身生地の縁に沿ってループの一端が固定され、ループの他端は固定されていないことを特徴とするスカーフ留め構造として構成することもできる。
【００１０】
ここで、前記複数のループがそれぞれ中間で交差してクロスループを形成しているとするのが好ましく、また、前記複数のループの他端を重ねてＶ字状ループを形成しているとするとしてもよい。
【００１１】
これによれば、スカーフの固定が強化されるとともに、スカーフの形状を崩すことなくふんわりとした整形が可能となる。
【００１２】
また、前記複数のループは、径の大きさが異なるループを含むとするのが好ましく、前記複数のループは、同じ径のループ同士を繋ぎ合わせて構成されているループを含むとしてもよい。このとき、小さな径の小ループが大きな径の大ループに重ねられているのが好ましく、小ループより径が大きく大ループより径が小さい中ループを備え、中ループも大ループに重ねられており、小ループが大ループの下端側に重ねられているとすれば、より好ましい。
【００１３】
これによれば、ミニスカーフを一枚だけで使用する場合や、成形型のミニスカーフやロングスカーフをアレンジして使用する場合などの様々な利用形態に対応しうるとともに、例えばミニスカーフ使用時に生じやすいスカーフすべりなど、それぞれの利用形態で生じやすい現象を改善して、長時間の使用にも型崩れを生じさせにくいスカーフ留め構造が実現可能となる。
【００１４】
さらに、少なくともいずれか１つのループが捻りを加えられたツイストループであるとしてもよいし、少なくともいずれか１つのループが折り畳まれて形成されるフォルディングループであるとしてもよい。
【００１５】
これによれば、スカーフを差しこみやすくなるとともに、スカーフの柔らかな膨らみを損なうことなく、スカーフを美しく取り付けられる空間を創出することができる。
【発明の効果】
【００１６】
以上のように、本発明に係るスカーフ留め構造によれば、スカーフの保形性を長時間に亘って維持することができ、種々のスカーフのアレンジが可能となり、様々な利用形態に対応可能となる。また、スカーフを差しこみやすくすることや、スカーフの柔らかな膨らみを損なわずにスカーフを美しく取り付けることができ、首回りを見栄えよく華やかに装飾することができる。
【図面の簡単な説明】
【００１７】
【図１】スカーフ留め構造を衿付きシャツに適用した例を示す図である。
【図２】スカーフ留め構造を拡大して示す図である。
【図３】スカーフ留め構造の第２例を示す図である。
【図４】スカーフ留め構造の第３例を示す図である。
【図５】スカーフ留め構造を衿付きシャツに適用した別の例を示す図である。
【図６】スカーフ留め構造をホール付きジャケットに適用した例を示す図である。
【図７】ホール付きジャケットにおけるスカーフ留め構造を拡大して示す図である。
【図８】スカーフ留め構造をノーカラージャケットに適用した例を示す図である。
【図９】ノーカラージャケットにおけるスカーフ留め構造を拡大して示す図である。
【図１０】スカーフ留めダブルループの例を示す図である。
【図１１】スカーフ留めダブルループにスカーフを通した状態を示す図である。
【図１２】ホール付きジャケットにおけるスカーフ留めダブルループを示す図である。
【図１３】ジャケットにおけるスカーフ留めダブルループを示す図である。
【図１４】ノーカラージャケットにおけるスカーフ留めダブルループを示す図である。
【図１５】スカーフ留めトリプルループの例を示す図である。
【図１６】スカーフ留めトリプルループにスカーフを通した状態を示す図である。
【図１７】ホール付きジャケットにおけるスカーフ留めトリプルループを示す図である。
【図１８】ノーカラージャケットにおけるスカーフ留めトリプルループを示す図である。
【図１９】スカーフ留めトリプルループの別の例を示す図である。
【図２０】スカーフ留めトリプルループにスカーフを通した状態を示す図である。
【図２１】ホール付きジャケットにおけるスカーフ留めトリプルループを示す図である。
【図２２】ノーカラージャケットにおけるスカーフ留めトリプルループを示す図である。
【図２３】スカーフ留めツイストループの例を示す図である。
【図２４】スカーフ留めツイストループを拡大して示す図である。
【図２５】スカーフ留めツイストループを説明するための図である。
【図２６】ホール付きジャケットにおけるスカーフ留めツイストループを示す図である。
【図２７】ノーカラージャケットにおけるスカーフ留めツイストループを示す図である。
【図２８】スカーフ留めフォルディングループの例を示す図である。
【図２９】スカーフ留めフォルディングループを拡大して示す図である。
【図３０】スカーフ留めフォルディングループを説明するための図である。
【図３１】スカーフ留めフォルディングループの作用を説明するための図である。
【図３２】ホール付きジャケットにおけるスカーフ留めフォルディングループを示す図である。
【図３３】ノーカラージャケットにおけるスカーフ留めフォルディングループを示す図である。
【発明を実施するための形態】
【００１８】
以下、本発明の実施形態について図面を参照しながら説明する。
【００１９】
（実施の形態１）
図１は、本実施形態のスカーフ留め構造を衿付きシャツに適用した例を示す図である。
【００２０】
本実施形態のスカーフ留め構造は、シャツ１の衿部２を折り返すことで現れる台衿３の上端から下端にかけてスカーフ留めとなるループ１０を複数形成するものである。このループ１０にスカーフ９やリボンなどを挿通して首回りを華やかに装飾することができる。ループ１０は、薄片で構成されており、ポリエステル製の布帛朱子織テープまたは身頃と同じ素材のものが使用され、経糸に綿タッチのスパンデックスを撚糸し、緯糸に嵩高加工糸のウーリー糸を使用することで、保形性だけでなく、ふくらみ感と柔らかさおよび防皺性を有するものとなっている。
【００２１】
図２に、スカーフ留め構造を拡大して示す。台衿３の表側上縁に沿ってループ１０の上端１１が縫着または接着などにより固定されている。ループ１０の他方の端である下端１２は、衿部２の折り返りを阻害しないために台衿３の裏側に回り込ませて台衿３の下縁に沿って縫着または接着などにより固定されている。台衿３の表面の直線とループ１０の曲線により、衿部２と台衿３の形状、立ち衿の美しさを保ちながらスカーフ９の柔らかな膨らみを損なうことなく、スカーフ９を美しくふんわりと取り付けられる空間を創出することができる。また、ループ１０の下端１２を台衿３の裏側に回り込ませることで、台衿３の下側にスカーフ９の膨らみを維持させることができる厚み分量を持たせることができスカーフ９のふんわりとした外観を維持することができる。
【００２２】
図３には、スカーフ留め構造の別の例として、ループをそれぞれの中間においてクロスさせたものを示す。クロスループ１３は、ループをたすきがけとすることでスカーフ９の固定が強化されるとともに、スカーフ９の形状を崩すことなくふんわりとした整形を可能にする。スカーフ９の固定をより確実にするうえで、クロスループ１３は、ループ同士を約３０°の角度で交差させて形成するのが好ましい。
【００２３】
図４には、スカーフ留め構造のさらに別の例として、ループをＶ字状に配したものを示す。Ｖ字ループ１４は、ループの下端１５を台衿３の下縁近傍で重ねてＶ字状に形成したものであり、スカーフ９の固定を強化することができる。スカーフ９を美しく見せるうえではスカーフ９を下方に垂らす落ち感を持たせて整形するのが望ましいとされる。Ｖ字ループ１４によれば、スカーフ９の落ち感を活かした見栄えのよい整形が可能となる。このような効果を得るために、Ｖ字ループ１４はループ同士が約３０°の角度となるＶ字を描くよう形成するのが好ましい。
【００２４】
（実施の形態２）
実施の形態２として、スカーフ留め構造を衿付きシャツに適用した別の例を説明する。なお、上記実施の形態と共通する部分については説明を適宜省略し、異なる部分について詳しく説明する。
【００２５】
図５は、スカーフ留め構造を衿付きシャツに適用した別の例を示す図である。
【００２６】
上記実施の形態ではループの他方の端を台衿３の裏側に回り込ませて台衿３の下縁に沿って固定することにしたが、ここでは台衿３の下端近傍にスリットを設けて台衿ホール１８を形成し、ループの他方の端を台衿３の上縁で固定している点で異なる。
【００２７】
すなわち、本実施形態のループ１６は、台衿３の表側の上縁に沿ってループ上端１７が縫着または接着などにより固定され、台衿３の下縁に沿って開けられた台衿ホール１８に通されて、他方のループ端（ループ上端１９）が台衿３の裏側の上縁に沿って縫着または接着などにより固定されている。台衿ホール１８は、ループ１６を挿通可能な幅と厚みを有するスリット状に孔が開けられて構成されている。
【００２８】
これによれば、衿付きシャツの表側（外側）にも裏側（内側）にもスカーフを通すことができる複数のループが形成されるので、内外いずれにもスカーフを装着することができるようになる。また、いずれか一方のループにスカーフを装着すると、スカーフの重みにより反対側のループは台衿３に接触する方向へ作用してループの膨らみが打ち消されるので、衿近傍の厚みが増すことはない。
【００２９】
（実施の形態３）
続いて、実施の形態３として、スカーフ留め構造をホール付きジャケットやノーカラージャケットに適用した例を説明する。なお、上記実施の形態と共通する部分については説明を適宜省略し、異なる部分について詳しく説明する。
【００３０】
図６は、スカーフ留め構造をホール付きジャケットに適用した例を示す図である。
【００３１】
ここでは、ラペル（下衿）５にホール６を備えたジャケット４に、ループを有するループ片２０を取り付けた例を示している。図７に、このホール付きジャケットにおけるスカーフ留め構造を拡大して示す。ループ２１を有するループ片２０は、ラペル５の裏側に取り付けられている。ループ片２０の一方の端部は、ラペル５と身生地との境界側の縁に沿って縫着または接着などにより固定されており、他方の端部は固定されておらず、遊離した状態となっている。ループ片２０は、ホール６に挿通可能な幅と厚みとされ、ホール６にループ片２０を通してからラペル５を折り戻すとジャケット４のラペル５の表側にループ２１を有するループ片２０が現れ、着用者の首回りや胸元を装飾するスカーフ９が取り付け可能となる。ここでは、ラペル５にホール６を備えたジャケット４を例示しているが、ホールのないジャケットの場合は、ループ片を身生地側に折り返すことでラペルから現出させてスカーフ９を取り付け可能な状態とすることができる。なお、ループ片の遊離した状態の他方の端部は、スカーフ９が取り付けられるとスカーフの重みにより身生地側への折り返しが保持されるのでラペル側へ戻ることがない。
【００３２】
図８は、本実施形態のスカーフ留め構造をノーカラージャケットに適用した例を示す図である。
【００３３】
ここでは、衿部のないノーカラージャケット７に、ループを有するループ片３０を取り付けた例を示している。図９に、このノーカラージャケットにおけるスカーフ留め構造を拡大して示す。ループ３３を有するループ片３０は、例えばノーカラージャケット７の首回り部の内側（裏側）に取り付けられている。ループ片３０の一方の端部３２は、首回り部の縁近傍に縫着または接着などにより固定されており、他方の端部は遊離した状態となっている。首回り部の縁に沿ってループ片３０を挿通可能な幅と厚みを有する支持ループ３１が設けられており、この支持ループ３１にループ片３０を折り返して通すことにより、ノーカラージャケット７の首回り部からループ３３を有するループ片３０を現出させて、スカーフ９を取り付け可能とする。ループ片の遊離した状態の他方の端部は、支持ループ３１とスカーフ９が取り付けられた際のスカーフの重みとにより折り返しが保持されるので内側へ戻ることがない。また、スカーフ９を取り付けないときには支持ループ３１への挿通を解除すればループ片３０は身生地側に向けて取り付けられているので首回り部から露出することがない。
【００３４】
（実施の形態４）
実施の形態４として、スカーフ留めとなるループを大小２つ形成する例を説明する。なお、上記実施の形態と共通する部分については説明を適宜省略し、異なる部分について詳しく説明する。
【００３５】
図１０は、スカーフ留めダブルループの例を示す図であり、図１１は、スカーフ留めダブルループにスカーフを通した状態を示す図である。ダブルループ４０は、ダブルループ４０の本体が形成する大ループ４２と、大ループ４２よりも小さな径のループを形成する小ループ４１と、これら２つのループを備えている。小ループ４１は、ダブルループ４０の表面側に形成され、大ループ４２の下端と小ループ４１の下端とは重ね合わされている。小ループ４１は、ミニスカーフを一枚だけで使用する際に生じやすいスカーフすべりを大幅に改善し、長時間の使用にも型崩れを生じさせにくくすることができる。一方の大ループ４２は成形型のミニスカーフやロングスカーフをアレンジして使用する場合に適した大きさとなっている。小ループ４１を下側に配してスカーフ９を着用することで衿の折り返しを美しく表現することができる。なお、小ループ４１と大ループ４２とは配色を異ならせて、視認性を高めて使いやすくするのが好ましい。
【００３６】
図１２は、ホール付きジャケットにおけるスカーフ留めダブルループを示す図である。ループ片５０は、大ループ５１と小ループ５２とを備えている。小ループ５２は、ホール６にループ片５０を挿通させた後、小ループ５２が表側に出ないようループ片５０の裏側に設けられている。小ループ５２の一方の端部は、ループ片５０の遊離している側の端部に縫着または接着などにより固定されており、小ループ５２の他方の端部は遊離した状態となっている。
【００３７】
図１３は、ホールのないジャケットにおけるスカーフ留めダブルループを示す図である。このループ片５３は、身生地側に折り返すことでラペルから現出させてスカーフ９を取り付け可能な状態とするものである。ループ片５３の一方の端部５６は、ラペルと身生地との境界側に縫着または接着などにより固定されている。ループ片５３の遊離した状態の他方の端部は、スカーフ９が取り付けられるとスカーフの重みにより身生地側への折り返しが保持されるのでラペル側へ戻ることがない。このループ片５３も大ループ５４と小ループ５５とを備えている。小ループ５５は、ループ片５３が身生地側に折り返されたときに小ループ５５が表側に現れないよう、図１２における小ループ５２と異なり、ループ片５５の表側に設けられている。小ループ５５の一方の端部は、ループ片５３の遊離している側の端部に縫着または接着などにより固定されており、小ループ５５の他方の端部は遊離した状態となっている。
【００３８】
図１４は、ノーカラージャケットにおけるスカーフ留めダブルループを示す図である。このループ片６０は、大ループ６３と小ループ６４とを備えている。ループ片６０を折り返して支持ループ６１に通してノーカラージャケットの首回り部からループ６３を有するループ片６０を現出させるにあたり、小ループ６４が表側に現れないように小ループ６４はループ片６０の表側に設けられている。小ループ６４の一方の端部は、ループ片６０の遊離している側の端部に縫着または接着などにより固定されており、小ループ６４の他方の端部は遊離した状態となっている。
【００３９】
なお、本実施の形態では小ループの全体が大ループに重ねられている例を図示しているが、小ループの一部又は全部が大ループと重ならないように構成するものであってもよい。
【００４０】
（実施の形態５）
実施の形態５として、スカーフ留めとなるループを３つ形成する例を説明する。なお、上記実施の形態と共通する部分については説明を適宜省略し、異なる部分について詳しく説明する。
【００４１】
図１５は、スカーフ留めトリプルループの例を示す図であり、図１６は、スカーフ留めトリプルループにスカーフを通した状態を示す図である。トリプルループ７０は、トリプルループ７０の本体が形成する大ループ７３と、大ループ７３の表面に形成される同じ径の大きさの双子のループ７１およびループ７２と、計３つのループを備えている。双子のループ７１およびループ７２を形成することで、実施の形態４と同様に、スカーフすべりを大幅に改善することができ、長時間使用でも型崩れしにくくすることができる。双子のループ７１およびループ７２は、それぞれループの下端は大ループ７３の上端と下端と重ね合わされており、それぞれループの上端はループ同士が接合する接合部となっている。このループ同士の接合部が繋ぎ合されてループを組み合わせているためアーチ型に全体の膨らみが生まれ、スカーフを挿入しやすい構成になっている。また、スカーフ９を大ループ７３に通してから双子のループ７１およびループ７２に通して使用することでスカーフの厚みを軽減した結び方が可能となり、衿の形状を美しく保ちながら首回りを華やかに見せることができる。
【００４２】
図１７は、ホール付きジャケットにおけるスカーフ留めトリプルループを示す図であり、ループ片８０は、同じ大きさの双子のループ８２およびループ８３と、大ループ８１の計３つのループを備えている。図１８は、ノーカラージャケットにおけるスカーフ留めトリプルループを示す図であり、このループ片９０も同じ大きさの双子のループ９３およびループ９４と、大ループ９５の計３つのループを備えている。
【００４３】
なお、双子のループと大ループとは配色を異ならせて、視認性を高めて使いやすくするのが好ましい。また、双子のループ同士も配色を異ならせて視認性を高めるようにしてもよい。
【００４４】
（実施の形態６）
実施の形態６では、スカーフ留めとなるループを大きさを異ならせて３つ形成する例を説明する。上記実施の形態と共通する部分については説明を適宜省略し、異なる部分について詳しく説明する点は同様である。
【００４５】
図１９は、スカーフ留めトリプルループの別の例を示す図であり、図２０は、スカーフ留めトリプルループにスカーフを通した状態を示す図である。トリプルループ１００は、トリプルループ１００の本体が形成する大ループ１０３と、大ループ１０３の表面の上側に形成される、大ループ１０３よりも小さいループの中ループ１０１と、大ループ１０３の表面の下側に形成される、最も小さいループの小ループ１０２と、これらそれぞれ大きさの異なるループを備えている。小ループ１０２は、スカーフすべりを大幅に改善する効果があり、ミニスカーフを１枚で使用するのに適している。中ループ１０１は、成形型のミニスカーフを使用するのに適している。大ループ１０３は、成形型のミニスカーフやロングスカーフのアレンジや、様々なボリュームアレンジに適している。このように３つの大きさの異なるループを形成することで、スカーフの様々なバリエーションに適応することができるようになっている。また、小ループ１０２を下側に配してスカーフ９を着用することで衿の折り返しを美しく表現することを可能にしている。
【００４６】
図２１は、ホール付きジャケットにおけるスカーフ留めトリプルループの例を示す図であり、ループ片１１０は、大きさの異なる大ループ１１３、中ループ１１１および小ループ１１２の計３つのループを備えている。図２２は、ノーカラージャケットにおけるスカーフ留めトリプルループを示す図であり、このループ片１２０も大きさの異なる大ループ１２３、中ループ１２５および小ループ１２４を備えている。さらに、ループ片１２０は、折り返した時に表側に配置される中ループ１２６も備えており、計４つのループを備えている。ここでは、ホール付きジャケットおよびノーカラージャケットにおいて、大中小のサイズの異なるループを例示しているが、ジャケットの使用形態ではループ片を折り返したり、ホールに通して使用するため、ループの大きさに３段階の差異をつけるのではなく、大ループ２つと小ループ１つという組み合わせとすることが好ましいこともある。
【００４７】
なお、上記実施の形態と同様に、大ループ、中ループおよび小ループはそれぞれ配色を異ならせて、視認性を高めて使いやすくするのが好ましい。
【００４８】
（実施の形態７）
続いて、実施の形態７としてスカーフ留めとなるループを捻らせてツイストループとして形成する例を説明する。ここでは、実施の形態６の小ループをツイストループとする例を説明する。
【００４９】
図２３は、スカーフ留めツイストループの例を示す図である。トリプルループ１３０は、大ループ１３３と、中ループ１３１と、小ループ１３２とを備えている。小ループ１３２は、ループに捻りが加えられてツイストループ１３４となっている。
【００５０】
図２４は、スカーフ留めツイストループを拡大して示す図であり、図２５は、ツイストループを説明するための図である。ツイストループ１３４は、ツイスト（捻り）を２回転加えることで形成される。２回転のツイストにより、テープ状の平面が筒状の立体になり、小さなループでもスカーフを差しこみやすい空間を創出することができる。この捻りをしやすいように中ループ１３１と小ループ１３２を構成する素材は、薄地のタフタ素材を用いるのが好ましく、経糸よりも緯糸を細くして摩耗や擦れに強いテープで形成するのが好ましい。
【００５１】
図２６は、ホール付きジャケットにおけるスカーフ留めツイストループを示す図であり、ループ片１４０は、大ループ１４３、中ループ１４１および小ループ１４２の計３つのループを備えており、小ループ１４２がツイストループ１４４となっている。
【００５２】
図２７は、ノーカラージャケットにおけるスカーフ留めツイストループを示す図であり、このループ片１５１も大ループ１５３、中ループ１５４および小ループ１５５の計３つのループを備えており、小ループ１５５がツイストループ１５６となっている。
【００５３】
なお、上記実施の形態と同様に、大ループ、中ループおよび小ループはそれぞれ配色を異ならせて、視認性を高めて使いやすくするのが好ましい。
【００５４】
（実施の形態８）
さらに、実施の形態８としてスカーフ留めとなるループを折り畳んだフォルディングループとして形成する例を説明する。ここでは、実施の形態６の小ループをフォルディングループとする例を説明する。
【００５５】
図２８は、スカーフ留めフォルディングループの例を示す図である。トリプルループ１６０は、大ループ１６３と、中ループ１６１と、小ループ１６２とを備えている。小ループ１６２は、ループが折り畳まれて形成されるフォルディングループ１６４となっている。このトリプルループ１６０においても、中ループ１６１と小ループ１６２を構成する素材は、薄地のタフタ素材を用いるのが好ましく、経糸よりも緯糸を細くして摩耗や擦れに強いテープで形成するのが好ましい。
【００５６】
図２９は、スカーフ留めフォルディングループを拡大して示す図であり、図３０は、スカーフ留めフォルディングループを説明するための図である。フォルディングループ１６４は、小ループ１６２を側方（右）へ直角に折り曲げ、反対側方（左）へ折り返し、下方へ直角に折り曲げ、最後に側方（右）へ折り返すという手順で小ループ１６２を折り畳むことにより（４回の捻りを加えることにより）形成される。図３１は、スカーフ留めフォルディングループの作用を説明するための図である。このフォルディングループ１６４は、平面のテープが略直角三角形の２つで構成される折り畳み構造となることで、立体的なスプリングのごとき作用を奏する。すなわち、スカーフ着用時にはフォルディングループ１６４を上方へ引き上げると、開くように蛇腹状に伸びるだけでなく空間１６５を形成するのでスカーフを差しこみやすくなる。またスカーフを外して未使用とするときは、フォルディングループ１６４を構成する素材に高熱高圧プレスをかけておくことで、指で軽くたたく程度で閉じていき、元の折り畳み状態に戻るようになっている。
【００５７】
図３２は、ホール付きジャケットにおけるスカーフ留めフォルディングループを示す図であり、ループ片１７０は、大ループ１７３、中ループ１７１および小ループ１７２の計３つのループを備えており、小ループ１７２がフォルディングループ１７４となっている。
【００５８】
図３３は、ノーカラージャケットにおけるスカーフ留めフォルディングループを示す図であり、このループ片１８０も大ループ１８３、中ループ１８４および小ループ１８５の計３つのループを備えており、小ループ１８５がフォルディングループ１８６となっている。
【００５９】
なお、上記実施の形態と同様に、大ループ、中ループおよび小ループはそれぞれ配色を異ならせて、視認性を高めて使いやすくするのが好ましい。
【００６０】
以上、本発明に係るスカーフ留め構造について、各実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００６１】
例えば、上記各実施の形態では、シャツ、ジャケットなどを例にして説明したが、首回り部を有する衣類（例えば、ベストやプルオーバーシャツなど）であれば、いずれにも適用可能であり、ベストやプルオーバーシャツであればノーカラージャケットと同様のループが適用可能である。
【００６２】
また、上記各実施形態では配色について各ループで異ならせることを述べているが、シャツなどの白地や淡色系が多い衣類であればループの配色も淡色とし、ジャケットなどの黒や紺など濃色系が多い衣類であればループの配色も濃色として目立ちにくくするのが好ましい。
【００６３】
さらに、上記各実施形態を適宜組み合わせることも可能である。例えば、実施の形態７のツイストループや実施の形態８のフォルディングループを実施の形態１の衿付きシャツのいずれかのループに適用してもよいし、実施の形態１の複数のループを実施の形態４のダブルループや実施の形態５の双子のループによって形成するとしてもよい。
【産業上の利用可能性】
【００６４】
本発明は、衣服の首回りや胸元にスカーフを取り付ける構造として適用可能であり、特に衿部を有する衣服に有用である。
【符号の説明】
【００６５】
１  シャツ
２  衿部
３  台衿
４  ジャケット
５  ラペル
６  ホール
７  ノーカラージャケット
９  スカーフ
１０，１６，２１，３３  ループ
１１，１７，１９  ループ上端
１２，１５  ループ下端
１３  クロスループ
１４  Ｖ字ループ
１８  台衿ホール
２０，３０，５０，５３，６０，８０，９０，１１０，１２０，１４０，１５０，１７０，１８０  ループ片
３１，６１，９１，１２１，１５１，１８１  支持ループ
３２，６２，９２，１２２，１５２，１８２  ループ端部
４０  ダブルループ
４１，５２，５５，６４，１０２，１１２，１２４，１３２，１４２，１５５，１６２，１７２，１８５  小ループ
４２，５１，５４，６３，７３，８１，９５，１０３，１１３，１２３，１３３，１４３，１５３，１６３，１７３，１８３  大ループ
７０，１００，１３０，１６０  トリプルループ
７１，７２，８２，８３，９３，９４  双子ループ
１０１，１１１，１２５，１２６，１３１，１４１，１５４，１６１，１７１，１８４中ループ
１３４，１４４，１５６  ツイストループ
１６４，１７４，１８６  フォルディングループ
【図１】
2017222938.tif 000003
【図２】
2017222938.tif 000004
【図３】
2017222938.tif 000005
【図４】
2017222938.tif 000006
【図５】
2017222938.tif 000007
【図６】
2017222938.tif 000008
【図７】
2017222938.tif 000009
【図８】
2017222938.tif 000010
【図９】
2017222938.tif 000011
【図１０】
2017222938.tif 000012
【図１１】
2017222938.tif 000013
【図１２】
2017222938.tif 000014
【図１３】
2017222938.tif 000015
【図１４】
2017222938.tif 000016
【図１５】
2017222938.tif 000017
【図１６】
2017222938.tif 000018
【図１７】
2017222938.tif 000019
【図１８】
2017222938.tif 000020
【図１９】
2017222938.tif 000021
【図２０】
2017222938.tif 000022
【図２１】
2017222938.tif 000023
【図２２】
2017222938.tif 000024
【図２３】
2017222938.tif 000025
【図２４】
2017222938.tif 000026
【図２５】
2017222938.tif 000027
【図２６】
2017222938.tif 000028
【図２７】
2017222938.tif 000029
【図２８】
2017222938.tif 000030
【図２９】
2017222938.tif 000031
【図３０】
2017222938.tif 000032
【図３１】
2017222938.tif 000033
【図３２】
2017222938.tif 000034
【図３３】
2017222938.tif 000035